(57)【要約】【課題】　テープＴをテープリール３０に巻き付ける際に、テープＴの巻き乱れを効果的に減らすことができる装置を提供する。【解決手段】　磁気テープＴの巻き姿を整えるための化粧巻きティッシュ１０を備えて構成される磁気テープの化粧巻き装置１００であって、前記化粧巻きティッシュ１０を前記磁気テープＴの側方に前記フランジ３３の内面３３ａの傾斜と平行に配置し、前記化粧巻きティッシュ１０で前記磁気テープＴの側方を前記フランジ３３の内面３３ａに向けて押圧しながら巻き取る磁気テープの化粧巻き装置１００とした。【選択図】　　　図１
2004146037.tif 000002
【特許請求の範囲】
【請求項１】
テープの巻き姿を整えるための化粧巻きティッシュを備えて構成されるテープの化粧巻き装置であって、
　前記化粧巻きティッシュを前記テープの側方に前記フランジの内面の傾斜と平行に配置し、前記化粧巻きティッシュで前記テープの側方を前記フランジの内面に向けて押圧しながら巻き取るように構成したことを特徴とするテープの化粧巻き装置。
【請求項２】
テープの巻き姿を整えるための化粧巻きティッシュを備えて構成されるテープの化粧巻き装置であって、
　前記化粧巻きティッシュを、前記テープを巻き取る方向と同方向へ移動又は静止させながら巻き取るように構成したことを特徴とする請求項１に記載のテープの化粧巻き装置。
【請求項３】
前記化粧巻きティッシュは、前記フランジに送り込まれる入口側においてよりも、前記フランジから送り出される出口側において、前記テープの側方への押込み代が大きくなるように配置されていることを特徴とする請求項１に記載のテープの化粧巻き装置。
【発明の詳細な説明】
【技術分野】
【０００１】
　本発明は、テープの化粧巻き装置に関する。
【背景技術】
【０００２】
　従来、パンケーキから繰り出されたテープがテープリールに巻き取られた際に生じるテープの巻き乱れを抑制するために、化粧巻きという技術がある。
【０００３】
　図５は、従来の化粧巻きティッシュを用いてテープＴを巻き取る様子を示しており、図２（後述する）におけるＡ―Ａ線の縦断面図である。図５に示すように、化粧巻きティッシュ１０は、図中テープリール５０のフランジ５２、５３の間に位置している。フランジ５３およびフランジ５２は、リールハブ５１に巻回されたテープＴのフランジ５３側のテープエッジＥ１（図中右側）またはフランジ５２側のテープエッジＥ２（図中左側）と当接し、テープエッジＥ１またはＥ２の位置を規制することにより、テープＴのテープ幅方向の移動を制限している。図５では、フランジ５３の内面５３ａがテープＴのフランジ５３側のテープエッジＥ１と当接し、フランジ５３側のテープエッジＥ１の位置を規制することにより、テープＴのテープ幅方向の移動を制限している。
【０００４】
　また、フランジ５２の内面５２ａおよびフランジ５３の内面５３ａは、フランジ５２、５３の内周側（図中上側）から外周側（図中下側）にかけて、フランジ５２、５３の外面５２ｂ、５３ｂ側へ所定の角度で傾斜した傾斜面となっている。このように、フランジ５２、５３の内面５２ａ、５３ａを傾斜面とすることにより、テープリール５０にテープＴを巻き取る際に、フランジ５２、５３間にテープＴが入りやすくなる。
　また、テープリール５０からテープＴを送り出す際に、リールハブ５１の外周に巻回されたテープＴがフランジ５２、５３間から出やすくなる。したがって、テープリール５０にテープＴを巻き取る際や、テープリール５０からテープＴを送り出す際にテープＴを安定して走行させることができる。
【０００５】
　このように、テープＴのテープ幅方向の移動を制限し、化粧巻きティッシュ１０によって、テープＴの側方への移動を規制することによって、テープＴを安定して走行させることができ、その結果として、テープＴの記録再生特性を良好に保つことができる。
【０００６】
　このようなテープ巻取機による化粧巻きには、ライナーシートの存在によって巻き乱れが一応防止できるようになっている（例えば、特許文献１参照）。
【特許文献１】特開２０００−０３６１８０号公報（第３〜４頁、図１）
【発明の開示】
【発明が解決しようとする課題】
【０００７】
　しかしながらテープリール５０のフランジ５３の内面５３ａは外周に向かって広がって傾斜しているため、フランジ５３の内面５３ａとテープＴとの間隙にテープＴの飛び出し５４が発生してしまい、テープＴの巻き乱れを減らすことができないという問題があった。
【０００８】
　本発明は、前記課題を解決するためになされたものであり、テープの巻き乱れを効果的に減らすことができるテープの化粧巻き装置を提供することを目的とする。
【課題を解決するための手段】
【０００９】
　本発明は、テープの巻き姿を整えるための化粧巻きティッシュを備えて構成されるテープの化粧巻き装置であって、前記化粧巻きティッシュを前記テープの側方に前記フランジの内面の傾斜と平行に配置し、前記化粧巻きティッシュで前記テープの側方を前記フランジの内面に向けて押圧しながら巻き取るように構成したことを特徴とする。
【００１０】
　このような構成のテープの化粧巻き装置では、前記化粧巻きティッシュを、前記テープを巻き取る方向と同方向へ移動又は静止させながら巻き取ることが好ましい。
【００１１】
　また、前記化粧巻きティッシュは、前記フランジに送り込まれる入口側においてよりも、前記フランジから送り出される出口側において、前記テープの側方への押込み代が大きくなるように配置されていることが好ましい。
【発明の効果】
【００１２】
　本発明によれば、化粧巻きティッシュをテープの側方にフランジの内面の傾斜と平行に配置し、さらにテープを巻き取る方向と同方向へ移動させながら、又は前記化粧巻きティッシュを静止させた状態で、化粧巻きティッシュでテープの側方を前記フランジの内面に向けて押圧しながら巻き取るように構成されているため、テープをフランジの内面と化粧巻きティッシュとの間に挟んだ状態で、テープをテープリールに巻き取ることができる。その結果として、テープの巻き乱れを効果的に減らすことができる。尚、化粧巻きティッシュとは、化粧巻きのために、テープを側方から押圧する薄い紙、織布または不織布等からなるテープである。
【００１３】
　また、化粧巻きティッシュが、前記フランジに送り込まれる入口側においてよりも、前記フランジから送り出される出口側において、前記テープの側方の押込み代が大きくなるように配置されている。
　すなわち、テープの移動方向の上流側から下流側に向かうにつれて、化粧巻きティッシュとフランジの内面との距離が徐々に狭くなり、テープをフランジの内面に押圧する力が、テープの移動方向の上流側から下流側に向かうにつれて徐々に強くなるので、テープのズレをより確実に規制して、テーププリールに巻き取られたテープの外観を整えることができる。
【発明を実施するための最良の形態】
【００１４】
　本発明に係るテープの化粧巻き装置について図面を参照して説明する。
　図１は、本実施形態に係るテープの化粧巻き装置の概略を示す斜視図である。
　図１に示すように、本発明に係る装置は、テープリールのフランジ間に収容された状態でテープリールに巻き付けられるテープの巻き姿を整えるテープの化粧巻き装置１００であって、磁気テープＴを繰り出すパンケーキ２０と、このパンケーキ２０から繰り出された磁気テープＴを巻き取るテープリール３０と、このテープリール３０のフランジ３２、３３の間のテープリール３０の下方側に挿入する化粧巻きティッシュ１０を備えている。
【００１５】
　パンケーキ２０とテープリール３０との間には、磁気テープＴを支持するガイドローラ２１、２１が設けられている。
【００１６】
　また、このテープの化粧巻き装置１００には、化粧巻きティッシュ１０の進行方向を大きく変更して支持するガイドローラ１１と、化粧巻きティッシュ１０の進行方向を変更するように支持し、かつ化粧巻きティッシュ１０に張力を発生させるようにガイドローラ１２が設けられている。このガイドローラ１１、１２によって化粧巻きティッシュ１０は、テープリール３０のフランジ３２、３３の間で張力を有して支持されている。符号１３、１３…は、化粧巻きティッシュ１０の回動ルート内で、化粧巻きティッシュ１０を支持しているガイドローラである。
【００１７】
　また、この化粧巻きティッシュ１０は、テープリール３０が磁気テープＴを巻き取るときのテープリール３０の回転方向（図中、反時計方向）と同方向（図中、右方向）に移動できるように構成されている。
【００１８】
　ここで、本実施の形態では、磁気テープＴをテープリール３０に巻き取る際には、化粧巻きティッシュ１０は停止するように構成されている。そして、テープリール３０への磁気テープＴの巻き取りが終わる毎に、化粧巻きティッシュ１０を図中右方向に所定量ずつ移動して、次の磁気テープＴの巻き取りに備えるように設定されている。
【００１９】
　尚、磁気テープＴを停止させず、磁気テープＴの進行方向と同じ方向に移動させながら、磁気テープＴをテープリール３０に巻き取る構成とすることも可能である。
　この場合、化粧巻きティッシュ１０の送り速度は、磁気テープＴの巻き付け強度に応じて適宜変更可能であり、磁気テープＴの進行速度よりも遅くても、早くても良い。
【００２０】
　さらに、図１に示すように、磁気テープＴは、化粧巻きティッシュ１０とフランジ３３の内面３３ａとに挟まれた状態で巻き取られるため、ガイドローラ１１、１２は、フランジ３３の内面の傾斜に合った角度αだけ傾いて取り付けられている。これにより化粧巻きティッシュ１０は、フランジ３２、３３の間でフランジ３３の内面３３ａの傾斜面とほぼ同じ角度αだけ傾斜して配置される。例えば、角度αは、１〜２°に設定されている。
【００２１】
　また、パンケーキ２０やテープリール３０は、固定具３４、３５によって、ワインダパネル２２とほぼ平行に取り付けられている。
【００２２】
　次に、以上のように構成されたテープの化粧巻き装置１００の動作について説明する。図２は、磁気テープＴがテープリール３０に巻き取られる様子を示す斜視図である。
　図３は、化粧巻きティッシュ１０を用いて磁気テープＴを巻き取っている様子を示しており、図２におけるＡ―Ａ線の縦断面図である。
【００２３】
　図２に示すように、磁気テープＴのテープリール３０への巻き取りが開始されると、テープリール３０は反時計方向に回転する。すると、図１に示すように、磁気テープＴは、テープリール３０のフランジ３２、３３の間であって固定具３５よりも下方の位置において、図中右方向に移動してテープリール３０に巻装され、所定の径を持った巻装体が得られることになる。
【００２４】
　この際、ガイドローラ１１、１２は、テープリール３０のフランジ３３の内面３３ａ（図３参照）の傾斜角度に合わせて、角度αだけ傾いて取り付けられているので、図３に示すように、化粧巻きティッシュ１０は、テープリール３０のフランジ３２、３３の間であって固定具３５よりも下方の位置において、フランジ３３の内面３３ａとほぼ平行に配置されることになり、磁気テープＴは、化粧巻きティッシュ１０とフランジ３３の内面３３ａとに挟まれた状態で、テープリール３０に巻き取られる。
　すなわち、磁気テープＴの巻き取りは、テープエッジＥ１がフランジ３３と接触した状態で、テープエッジＥ２が化粧巻きティッシュ１０と接触した状態で行われる。
　これにより、磁気テープＴの幅方向のズレが規制された状態で、磁気テープＴは、テープリール３０に巻き取られる。
【００２５】
　言い換えれば、図３に示すように、フランジ３３およびフランジ３２は、リールハブ３１に巻回された磁気テープＴのフランジ３３側のテープエッジＥ１またはフランジ３２側のテープエッジＥ２と当接するように、テープエッジＥ１またはＥ２の位置を規制することにより、磁気テープＴのテープ幅方向の移動を制限している。そして、化粧巻きティッシュ１０が、図中テープリール３０の下方側のフランジ３２、３３の間に位置しているため、フランジ３３の内面３３ａが磁気テープＴのテープエッジＥ１と当接し、フランジ３３側のテープエッジＥ１の位置を規制し、化粧巻きティッシュ１０が磁気テープＴのテープエッジＥ２と当接するように、フランジ３２側のテープエッジＥ２の位置を規制することにより、磁気テープＴのテープ幅方向の移動を制限している。
【００２６】
　図１に示すように、このフランジ３２、３３の内面３２ａ、３３ａの傾斜面に合わせて、ガイドローラ１１、１２は、フランジ３３の内面３３ａの傾斜に合った角度αだけ傾いて取り付けられている。これにより、図３に示すように、化粧巻きティッシュ１０は、フランジ３３の内面３２ａの傾斜面とほぼ同じ角度αだけ傾斜して配置されることになり、磁気テープＴは、化粧巻きティッシュ１０とフランジ３３の内面３３ａとに挟まれて、内面３３ａの傾斜面に巻き取られる。尚、例えば、角度αは、１〜２°にしている。
【００２７】
　次に、磁気テープＴがフランジ３２、３３間に巻き取られる様子についてさらに詳しく説明する。図４は、本発明の実施の形態に係るテープの化粧巻き装置１００の図であり、図１の平面図である。
　符号Ａ、Ｂ、Ｃは、ワインダパネル２２からの化粧巻きティッシュ１０までの距離をそれぞれ示している。これらの距離は、テープリール３０のフランジ３２、３３の間における化粧巻きティッシュ１０の位置を管理する管理数値として利用されるものである。
【００２８】
　化粧巻きティッシュ１０は、フランジ３２、３３の間に位置し、磁気テープＴの側方をフランジ３３に向けて押圧している。これによって磁気テープＴをフランジ３３の内面３３ａに当接させている。
【００２９】
　また、化粧巻きティッシュ１０は、磁気テープＴの側方を押圧する際に、フランジ３２、３３に送り込まれる入口側３６においてよりも、フランジ３２、３３から送り出される出口側３７において、磁気テープＴの押込み代が大きくなるように配置されている。
【００３０】
　このように、化粧巻きティッシュ１０とフランジ３３の離間距離を狭めて、磁気テープＴが巻き取られて行くにつれて、磁気テープＴの側方からの押圧力を強くするために、ワインダパネル２２から化粧巻きティッシュ１０までの距離Ａ、Ｂ、Ｃは、Ｂ＜Ａ＜Ｃのように設定されている。
【００３１】
　したがって磁気テープＴのテープ幅方向の移動を、磁気テープＴの送り方向の傾斜および磁気テープＴが巻き取られる方向の傾斜によって制限することによって、磁気テープＴを安定して走行させると共に、磁気テープＴの飛び出しなどの巻き乱れを発生することなく、高速でもきれいに巻き取ることができる。
【００３２】
　以上好ましい実施形態について説明したが、本発明は前記実施形態に限定されるものではなく、本発明の要旨を逸脱することのない範囲内において適宜の変更が可能なものである。例えば、本実施の形態では、テープが、磁気テープである場合を例に挙げて説明したが、本発明に係るテープの化粧巻き装置は、光記憶テープなどのテープ状記録媒体であっても、好適に使用可能である。
【図面の簡単な説明】
【００３３】
【図１】本発明に係るテープの化粧巻き装置の概略を示す斜視図である。
【図２】テープリールに磁気テープが巻き込まれている様子を示す斜視図である。
【図３】化粧巻きティッシュを用いて磁気テープを巻き取っている様子を示しており、図２におけるＡ―Ａ線の縦断面図である。
【図４】本発明に係るテープの化粧巻き装置の図であり、図１の平面図である。
【図５】従来の化粧巻きティッシュを用いて磁気テープを巻き取っている様子を示しており、図２におけるＡ―Ａ線の縦断面図である。
【符号の説明】
【００３４】
　１０　化粧巻きティッシュ
　１１、１２、１３　ガイドローラ
　２０　パンケーキ
　２１　ガイドローラ
　２２　ワインダパネル
　３０　テープリール
　３１　ハブ
　３４、３５　固定具
【図１】
2004146037.tif 000003
【図２】
2004146037.tif 000004
【図３】
2004146037.tif 000005
【図４】
2004146037.tif 000006
【図５】
2004146037.tif 000007